(57)【要約】【課題】太陽光パネルの冷却、加温を効率的に行うことができると共に、それらに要したエネルギーを回収することのできる太陽光パネル冷却加温装置を提供する。【解決手段】太陽光パネル冷却加温装置は、屋根に設置された太陽光パネル１０と、太陽光パネル１０の下面部に取り付けられ、熱媒体が流通する冷却加温部材２０と、熱媒体が流通する流通管３５を内包し、給水及び排水が可能な貯水タンク３０と、熱媒体を流通管３５から冷却加温部材２０に送出する送出管６０と、熱媒体を冷却加温部材２０から流通管３５に戻入する戻入管７０と、熱媒体を冷却加温部材２０と貯水タンク３０との間で循環させるための循環ポンプ４０と、を備えている。貯水タンク３０に接続し、貯水タンク３０内の水を加熱するためのボイラ４０を更に備えていることが好ましい。【選択図】図１
2015211619.tif 000002
【特許請求の範囲】
【請求項１】
屋根に設置された太陽光パネルと、
前記太陽光パネルの下面部に取り付けられ、熱媒体が流通する冷却加温部材と、
前記熱媒体が流通する流通管を内包し、給水及び排水が可能な貯水タンクと、
前記熱媒体を前記流通管から前記冷却加温部材に送出する送出管と、前記熱媒体を前記冷却加温部材から前記流通管に戻入する戻入管と、
前記熱媒体を前記冷却加温部材と前記貯水タンクとの間で循環させるための循環ポンプと、
を備えたことを特徴とする太陽光パネル冷却加温装置。
【請求項２】
前記貯水タンクに接続し、前記貯水タンク内の水を加熱するためのボイラを更に備えた請求項１に記載の太陽光パネル冷却加温装置。
【請求項３】
前記冷却加温部材は、前記太陽光パネル下面部に当接した板状体と、該板状体に固着され、屈曲形成された管状体とからなる請求項１又は２に記載の太陽光パネル冷却加温装置。
【請求項４】
前記冷却加温部材は、複数の太陽光パネルのそれぞれに備えられ、前記送出管は、前記貯水タンクに接続した主送出管と、該主送出管から並列に分岐した複数の副送出管とからなり、それぞれの副送出管から、それぞれの前記冷却加温部材に熱媒体を送出する請求項１乃至３のうちのいずれか１項に記載の太陽光パネル冷却加温装置。
【請求項５】
前記冷却加温部材は、複数の太陽光パネルのそれぞれに備えられ、前記戻入管は、前記貯水タンクに接続した主戻入管と、該戻入管から並列に分岐した複数の副戻入管とからなり、それぞれの副戻入管が、それぞれの前記冷却加温部材から熱媒体を戻入する請求項１乃至４のうちのいずれか１項に記載の太陽光パネル冷却加温装置。
【発明の詳細な説明】
【技術分野】
【０００１】
本発明は、太陽光パネルの冷却加温装置に関する。
【背景技術】
【０００２】
太陽光パネルは、その温度が上昇すると、発電効率が低下することが知られている。特に夏季においては、直射日光などにより、発電効率が著しく低下しやすい。また、冬季においては、積雪により、太陽光パネルの発電が妨げられるという問題がある。
ここで、これらの問題を解決する手段が提案されている（例えば、特許文献１参照。）。
特許文献１に記載の解決手段によれば、太陽光パネルに散水をタイミングよく行うことにより、夏場において太陽光パネルを冷却し、冬場において太陽光パネル上の雪を溶かすことができる。
【先行技術文献】
【特許文献】
【０００３】
【特許文献１】特開２０１３−１９７２５２号公報
【発明の概要】
【発明が解決しようとする課題】
【０００４】
しかし、散水するためには一定の動力源が必要となり、そのエネルギーを回収することは困難である。
【０００５】
そのため、夏期における太陽光パネルの冷却、冬期における太陽光パネル上の融雪を効率的に行うことができると共に、それらに要したエネルギーを回収して省資源化を図ることが好ましい。
本発明はかかる従来の問題点に鑑みてなされたものであり、太陽光パネルの冷却、加温を効率的に行うことができると共に、それらに要したエネルギーを回収することのできる太陽光パネル冷却加温装置を提供することを目的とする。
【課題を解決するための手段】
【０００６】
上記の課題を解決するために、請求項１に係る太陽光パネル冷却加温装置の特徴は、屋根に設置された太陽光パネルと、前記太陽光パネルの下面部に取り付けられ、熱媒体が流通する冷却加温部材と、前記熱媒体が流通する流通管を内包し、給水及び排水が可能な貯水タンクと、前記熱媒体を前記流通管から前記冷却加温部材に送出する送出管と、前記熱媒体を前記冷却加温部材から前記流通管に戻入する戻入管と、前記熱媒体を前記冷却加温部材と前記貯水タンクとの間で循環させるための循環ポンプと、を備えていることである。
【０００７】
請求項２に係る太陽光パネル冷却加温装置の特徴は、請求項１に記載の太陽光パネル冷却加温装置において、前記貯水タンクに接続し、前記貯水タンク内の水を加熱するためのボイラを更に備えていることである。
【０００８】
請求項３に係る太陽光パネル冷却加温装置の特徴は、請求項１又は２に記載の太陽光パネル冷却加温装置において、前記冷却加温部材は、前記太陽光パネル下面部に当接した板状体と、該板状体に固着され、屈曲形成された管状体とからなることである。
【０００９】
請求項４に係る太陽光パネル冷却加温装置の特徴は、請求項１乃至３のうちのいずれか１項に記載の太陽光パネル冷却加温装置において、前記冷却加温部材は、複数の太陽光パネルのそれぞれに備えられ、前記送出管は、前記貯水タンクに接続した主送出管と、該主送出管から並列に分岐した複数の副送出管とからなり、それぞれの副送出管から、それぞれの前記冷却加温部材に熱媒体を送出することである。
【００１０】
請求項５に係る太陽光パネル冷却加温装置の特徴は、請求項１乃至４のうちのいずれか１項に記載の太陽光パネル冷却加温装置において、前記冷却加温部材は、複数の太陽光パネルのそれぞれに備えられ、前記戻入管は、前記貯水タンクに接続した主戻入管と、該戻入管から並列に分岐した複数の副戻入管とからなり、それぞれの副戻入管が、それぞれの前記冷却加温部材から熱媒体を戻入することである。
【発明の効果】
【００１１】
請求項１に係る太陽光パネル冷却加温装置においては、太陽光パネルの下面部に取り付けられ、熱媒体が流通する冷却加温部材を備えているため、夏期における太陽光パネルの冷却、冬期における太陽光パネル上の融雪を効率的に行うことができる。
そして、熱媒体が流通する流通管を内包した貯水タンクと、熱媒体を流通管から冷却加温部材に送出する送出管と、熱媒体を冷却加温部材から流通管に戻入する戻入管と、前記熱媒体を前記冷却加温部材と前記貯水タンクとの間で循環させるための循環ポンプと、を備えている。そのため、夏季などにおいて、太陽光パネルで加熱された熱媒体を貯水タンク内に循環することで、貯水タンク内の水の温度を上昇させることができる。こうして、貯水タンクの水の加熱を補助し、省資源化を図ることができる。
【００１２】
請求項２に係る太陽光パネル冷却加温装置においては、請求項１の効果に加え更に、ボイラを備えているため、冬季においても、貯水タンクの水を加熱することができ、貯水タンクを給湯器として利用することができ、加熱された水によって加温された熱媒体を循環させることができる。
【００１３】
請求項３に係る太陽光パネル冷却加温装置においては、請求項１又は２の効果に加え更に、冷却加温部材は、前記太陽光パネル下面部に当接した板状体と、板状体に固着され、屈曲形成された管状体とからなるため、効率的に太陽光パネルを加温又は冷却することができる。
【００１４】
請求項４に係る太陽光パネル冷却加温装置においては、請求項１乃至３のうちのいずれか１項に記載の効果に加え更に、冷却加温部材は、複数の太陽光パネルのそれぞれに備えられ、送出管は、貯水タンクに接続した主送出管と、主送出管から並列に分岐した複数の副送出管とからなるため、熱媒体が管状体へ送出される抵抗を小さくすることができる。
【００１５】
請求項５に係る太陽光パネル冷却加温装置においては、請求項１乃至４のうちのいずれか１項に記載の効果に加え更に、冷却加温部材は、複数の太陽光パネルのそれぞれに備えられ、戻入管は、主戻入管と、戻入管から並列に分岐した複数の副戻入管とからなるため、熱媒体が管状体から戻入される抵抗を小さくすることができる。
【図面の簡単な説明】
【００１６】
【図１】実施形態に係り、太陽光パネル冷却加温装置の模式的斜視図である。
【図２】図１におけるＹ−Ｙ´断面図である。
【図３】（ａ）実施形態に係り、冷却加温部材の模式的斜視図である。（ｂ）図３（ａ）におけるＸ−Ｘ´断面図である。
【図４】実施形態に係り、太陽光パネル冷却加温装置において、太陽光パネルを省略した屋根の平面図である。
【発明を実施するための形態】
【００１７】
本発明に係る太陽光パネル冷却加温装置（以下「本装置」という。）は、図１に示すように、屋根９０に設置された太陽光パネル１０と、太陽光パネル１０の下面部に取り付けられ、熱媒体が流通する冷却加温部材２０と、熱媒体が流通する流通管３５を内包し、給水及び排水が可能な貯水タンク３０と、熱媒体を流通管３５から冷却加温部材２０に送出する送出管６０と、熱媒体を冷却加温部材２０から流通管３５に戻入する戻入管７０と、熱媒体を冷却加温部材２０と貯水タンク３０との間で循環させるための循環ポンプ４０と、を備えている。
【００１８】
太陽光パネル１０の下面部に取り付けられ、熱媒体が流通する冷却加温部材２０を備えているため、夏期における太陽光パネル１０の冷却、冬期における太陽光パネル１０上の融雪を効率的に行うことができる。
前記「熱媒体」は、熱交換を行うための媒体であれば特に限定はないが、通常、不凍液が好適に用いられる。
【００１９】
前記「冷却加温部材２０」は、熱媒体が流通する部材である。太陽光パネル１０の下面部に取り付けられ、熱媒体が流通することにより、太陽光パネルと熱交換が出来れば特に限定はないが、図２及び図３に示すように、太陽光パネル１０の下面部に当接した板状体２１と、板状体２１に固着され、屈曲形成された管状体２５とからなることができる。
こうすることで、効率的に太陽光パネル１０を加温又は冷却することができる。
冷却加温部材２０の太陽光パネル１０への取付方法も特に限定はないが、例えば図２に示すように、太陽光パネル１０と屋根９０への取付部材８０によって固定するようにしてもよい。
【００２０】
前記「貯水タンク３０」は、熱媒体が流通する流通管３５を内包しており、熱媒体との間で熱交換を行う。貯水タンク３０は、水で満たされており、給水管７５を通じての給水、排水管７６を通じての排水を行うことができる。
また、熱媒体を流通管３５から冷却加温部材２０に送出する送出管６０と、熱媒体を冷却加温部材２０から流通管に戻入する戻入管と、を備えている。
そして、循環ポンプ４０により熱媒体を冷却加温部材２０と貯水タンク３０との間で循環させている。
こうすることで、夏季などにおいて、太陽光パネル１０で加熱された熱媒体を貯水タンク３０内に循環することで、貯水タンク３０内の水の温度を上昇させることができる。そのため、貯水タンクの水の温度が上昇し、その貯水タンク３０内の水を排水管７６から排出することで、湯として利用することができる。
【００２１】
本装置は、図１に示すように、貯水タンク３０に接続し、貯水タンク３０内の水を加熱するためのボイラ５０を更に備えていることが好ましい。ボイラ５０によって加熱された水を流出管７７から貯水タンク３０に供給し、貯水タンク３０内の水を流入管７８からボイラ５０に供給する。
こうすることで、冬季においても、貯水タンクの水を加熱することができ、貯水タンク３０を給湯器として利用することができる。
更に、加熱された水によって熱媒体を加温して循環させることができる。そして、冬季においては、加温された熱媒体によって、太陽光パネル１０の融雪を行うことができる。
【００２２】
冷却加温部材２０は、図２及び図３に示すように、複数の太陽光パネル１０のそれぞれに備えられ、送出管６０は、貯水タンク３０に接続した主送出管６１と、主送出管６１から並列に分岐した複数の副送出管６２とからなることができる。
そして、それぞれの副送出管６２から、それぞれの冷却加温部材２０の管状体２５の流入口２５ａに熱媒体を送出することができる。
こうすることで、熱媒体が管状体２５へ送出される抵抗を小さくすることができる。
【００２３】
同様に、戻入管７０は、貯水タンク３０に接続した主戻入管７１と、戻入管７１から並列に分岐した複数の副戻入管７２とからなり、それぞれの副戻入管７２が、それぞれの冷却加温部材２０の管状体２５の流出口２５ｂから熱媒体を戻入することができる。
こうすることで、熱媒体が管状体２５から戻入される抵抗を小さくすることができる。
【符号の説明】
【００２４】
１０・・・・・・太陽光パネル
２０・・・・・・冷却加温部材
２１・・・・・・板状体
２５・・・・・・管状体
３０・・・・・・貯水タンク
３５・・・・・・流通管
４０・・・・・・循環ポンプ
５０・・・・・・ボイラ
６０・・・・・・送出管
６１・・・・・・主送出管
６２・・・・・・副送出管
７０・・・・・・戻入管
７１・・・・・・主戻入管
７２・・・・・・副戻入管
【図１】
2015211619.tif 000003
【図２】
2015211619.tif 000004
【図３】
2015211619.tif 000005
【図４】
2015211619.tif 000006